(57)【要約】【課題】  従来一般的に使用されている紙等で作られている手提げ用袋は外出先等での突然の雨に降られて、袋の中の商品が濡れてしまう事があった。また、袋が倒れたりすると、袋の中から商品が外に出てしまうことがあった。【解決手段】  従来の手提げ用袋の開口部に今回開発した発明商品［図２］を袋の出し入れ口に、簡単に取り付ける事で、開口部全体を覆う事が出来、［図８］の様に袋の中に雨が吹き込む事もなくなり、倒れても中の商品が外に出る事もなくなった。また、撥水加工をする事で長時間の雨にも耐えられるようになった。【選択図】図８
2015160672.tif 000002
【特許請求の範囲】
【請求項１】
本発明は紙や皮、布、プラスチック等を用いられて作られた商品で、［図２］−８と［図２］−９に本体部があり、その間にある柔軟な箇所［図２］−３を利用して手提げ用袋の、出し入れ口である開放部全体を覆うようにする商品である。
商品の本体部は、［図２］−８と［図２］−９からなり、両側又は片側本体部に、手提げ袋の手提げ紐の太さに合わせた溝、［図２］−１０を作り、この溝を袋の紐の取り付け部に誘導し、袋の紐から、発明商品が抜け落ちない為の引掛かり部として［図２］−４の溝やスリット等を設け、発明商品の安定固定が出来る様に考案した。これらにより発明商品が袋への取り付け取り外し、及び袋の開放部を簡単に開閉する事を可能にした商品である。
【請求項２】
本発明は紙やプラスチック、皮等で作られた商品で手提げ用袋の出し入れ口、開放部を全体的に覆う時に発明商品の本体部である［図２］−８と［図２］−９の両側又は片側に着けて剥がせる接着剤やマグネット等を、［図２］−５に付加する方法でより強く固定することを可能とした商品である。
【請求項３】
本発明は［図７］に表す様に請求項１と請求項２を使用する過程の段階で作られる状態の形状を最初の企画設計の時から袋の部分と一体化して制作する方法での商品である。
【発明の詳細な説明】
【技術分野】
【０００１】  本発明は一般的に使用されている手提げ袋の出し入れ口、開口部に取り付けて使用する商品でチャック等のように開閉口に取り付け使用する商品である。
【背景技術】
【０００２】  従来の紙等で作られている携帯用手提げ袋は一般的に出し入れ口を開いた状態で使用する事が多かった。
中には袋の開口部にプラスチックの凹凸を利用して内側で部分的に留める商品もあるが隙間もあり、完璧に閉じることはできなかった。
【先行技術文献】
【０００３】  現状においては、袋の開口部チャックやマジックテープ、ホック、マグネットなどを利用している商品は多くあるが、一つの袋に専用使用されている商品で簡単に別の袋に使用することは不可能である。
【発明の概要】
【発明者が解決しようとする課題】
【０００４】  従来は一般的に使用されている携帯用手提げ袋の開口部は、開いたまま使用されているが、そのために外出先での突然の雨や雪が袋の開口部から中に侵入し、中が濡れてしまうことがあった。
【０００５】  袋が横に倒れた時には袋の中の商品が外に出てしまう事もあった。
【０００６】  従来の袋等に使用されている開閉方法は袋に固定化されていて、簡単に別の袋に移動して使用することは不可能であった。
【発明が解決するための手段】
【０００７】  本発明は手提げ用袋の出し入れ口に本考案である開発商品［図２］を手提げ用袋の開閉口に取り付け［図７］使用することで袋の開閉部を全体的に閉ざす事が出来る様にした。
【０００８】  取り付けの作業が簡単に行い得る様にする為本体部［図２］−８と［図２］−９の両側又は片側に設けた溝［図２］−１０を利用して手提げ用紐を通して本発明商品の中心を出し、紐を引掛け固定するための溝［図２］−４、を設ける事で、短時間にて全体的に開閉部を覆うことを可能とした。
【０００９】  本発明は［図５］−５に示す場所等に着けて剥がす事の出来る接着剤やマジックテープ、マグネット等を並行利用する事で、開閉口の封鎖をより強くする事が出来るようになった。
【００１０】  本発明は手提げ用袋の外側と本発明商品の外側表面を撥水加工する事で長時間の雨にも中が濡れる事がなくなる。
【００１１】  本発明は紙やプラスチック等を［図２］に使用する事で、量産性がよく単価も安価にすることができる。
【発明の効果】
【００１２】  本発明は突然の雨に遭っても手提げ袋の出し入れ口を発明商品［図２］で覆うことで［図−８］袋の中に雨が吹き込むこともなくなった。
【００１３】  本発明商品を使用することで［図８］の様に、袋の材質等を考え、制作する事で袋の中の保湿効果も期待がもてる。
【００１４】  本発明商品を使用している袋は袋本体が破れたり破損したりした時、又袋のファションを変えたい時も、他の袋本体に発明商品［図２］を簡単に移動する事で新しい手提げ袋として使用する事が出来る。
【００１５】  本発明商品を使用している時、［図８］は袋が横になっても中の商品が外に出てしまうこと事はない。
【００１６】  本発明商品は、袋の開閉部を封鎖して使用する必要のない時は、開口部内側に本体部の片側を［図１５］の様に置く事で従来の開いたままの袋として使用する事も出来る。
【図面の簡単な説明】
【００１７】
【図１】  従来の手提げ用袋の概観立体図
【図２】  本発明商品の立体図
【図３】  本発明商品の上面図
【図４】  Ａ−Ａ｀断面図
【図５】  本発明の誘導溝と引掛け固定用溝を表す上面図
【図６】  本発明商品の形状違いの溝の上面図
【図７】  本発明商品が従来の袋の片側開放部に取り付けた状態
【図８】  本発明商品が従来の袋の開放部を閉じた状態
【図９】  袋に取り付け閉じた状態のＢ−Ｂ｀断面図
【図１０】  従来の袋で内側から紐が出ているタイプ
【図１１】  帯状紐を使用する時の上面参考図
【図１２】  Ｃ−Ｃ｀断面図
【図１３】  紐の誘導部を発明商品の中央一箇所に設けた参考図
【図１４】  本体部片側だけの誘導部の溝を利用した参考図
【図１５】  本体部片側を内側に置いた時の立体図
【発明を実施する為の形態】
【００１８】  本発明品は［図４］の表す様に二つの本体からなり、一箇所以上の柔軟な場所［図４］−３で繋がれている商品である。
この二つの本体部分に手提げ用紐を［図３］−１０でゆうどうして［図３］−４を設けて溝部に紐を引掛けて取り付ける。
そして袋の開口部分全体を覆うように閉じ固定［図８］し、使用する。
【００１９】  本発明は［図５］−５を設けて、開放部を安定して開閉する為に着けたり剥がしたり出来る接着剤等を利用して、簡単により効率よく開閉動作が出来て、しかも繰り返し使用しても強く固定することを可能にした。
【００２０】  本発明は［図８］全体を撥水加工等を行う事で、より長く雨に耐えることが出来るようになった。
【実施例】
【００２１】  本発明は［図１］に表すように従来からの手提げ用袋の出し入れ口開放部に［図２］−８、［図２］−９からなる二つの間にある柔軟な箇所を利用して開放部を覆うように装着して使用する。【００２２】  本発明の請求項１にあるは開発商品は、［図２］−８、［図２］−９からなる二つの本体の両側もしくは片側にある［図３］−１０に示す溝を利用して手提げ袋の中心と［図２］に示すとことの本発明商品の中心とを容易に合わせて外側から本発明商品の本体部を押さえ込むことで手提げ袋の中心である紐の出口付近を［図３］−４で引掛けて開かないようにし、［図８］のように口元全体を覆うように固定して使用する商品である。【００２３】  本発明の請求項２は、本発明商品の［図７］−５のように袋の外側表面と接する面に着けて剥がせる接着剤等を設けてこれらを利用し、より強く固定することを可能にした方法である。【００２４】  本発明の請求項３は、本発明商品の［図２］を従来の袋の片側に取り付けた状態である［図７］の袋を制作する段階から片側開閉部に本発明商品を取り付けた商品を最初から制作する方法である。【００２５】  本発明商品は、開閉口を封鎖する時は［図２］−８及び［図２］−９の真ん中部分を紐と紐の間をとうして袋との中心を合わせてから押さえ込んで、固定し、固定を外す時［図３］−６の部分から持ち上げることで簡単にスピーディーに外すことが出来る。
【符合の説明】
【００２６】  １．  手提げ用袋の手提げ紐
２．  手提げ用袋の本体部
３．  折り曲げ使用する柔軟な箇所
４．  紐を引掛けて保持固定する箇所
５．  着けて剥がせる接着剤等の部分
６．  剥がす時や外す時に掴む箇所
７．  柔軟部分が弱い時の補強部分
８．  本体部片側
９．  本体部片側
１０．紐の取り付け部に発明商品を誘導する為の溝部
１１．従来の袋の開口部
【図１】
2015160672.tif 000003
【図２】
2015160672.tif 000004
【図３】
2015160672.tif 000005
【図４】
2015160672.tif 000006
【図５】
2015160672.tif 000007
【図６】
2015160672.tif 000008
【図７】
2015160672.tif 000009
【図８】
2015160672.tif 000010
【図９】
2015160672.tif 000011
【図１０】
2015160672.tif 000012
【図１１】
2015160672.tif 000013
【図１２】
2015160672.tif 000014
【図１３】
2015160672.tif 000015
【図１４】
2015160672.tif 000016
【図１５】
2015160672.tif 000017